(57)【特許請求の範囲】
【請求項１】
コンピュータとフィールド装置との間の通信にインターフェイスするためのアダプタにおいて、
フィールド装置に接続するための端子と、
コンピュータのＵＳＢポートに接続するためのＵＳＢ接続と、
複数の通信プロトコルに関してアプリケーションソフトウェアを記憶するメモリモジュールであって、前記フィールド装置に使用された通信プロトコルに特有のアプリケーションソフトウェアが前記ＵＳＢ接続を経て前記コンピュータへアップロードされ、アプリケーションソフトウェアは、前記フィールド装置に使用された通信プロトコルに基づいて前記コンピュータがデータを送信及び受信できるようにするものであるメモリモジュールと、
前記端子により前記フィールド装置に且つ前記ＵＳＢ接続により前記コンピュータに接続されるポート回路であって、前記フィールド装置に使用された通信プロトコルに基づいて前記フィールド装置と前記コンピュータとの間の両方向通信にインターフェイスするポート回路と、
前記フィールド装置に使用される通信プロトコルを検出するために接続された自動検出回路であって、検出された通信プロトコルは、前記ポート回路に通信される自動検出回路と、を備え、
前記ポート回路は、前記自動検出回路により検出された通信プロトコルに特有のアプリケーションソフトウェアを前記メモリモジュールから前記コンピュータへアップロードさせることを特徴とするアダプタ。
【請求項２】
前記アダプタは、ユニバーサルシリアルバス（ＵＳＢ）プロトコルを使用して前記ＵＳＢ接続を経て前記ポート回路と前記コンピュータとの間に通信を与える、請求項１に記載のアダプタ。
【請求項３】
前記フィールド装置は、ハイウェイアドレス可能なリモートトランスジューサ（ＨＡＲＴ）プロトコルを使用して前記ポート回路と通信し、そして前記コンピュータは、ＨＡＲＴプロトコルに特有のアプリケーションソフトウェアで構成される、請求項１に記載のアダプタ。
【請求項４】
前記フィールド装置は、Ｆｉｅｌｄｂｕｓプロトコルを使用して前記ポート回路と通信し、そして前記コンピュータは、Ｆｉｅｌｄｂｕｓプロトコルに特有のアプリケーションソフトウェアで構成される、請求項１に記載のアダプタ。
【請求項５】
前記フィールド装置は、Ｐｒｏｆｉｂｕｓプロトコルを使用して前記ポート回路と通信し、そして前記コンピュータは、Ｐｒｏｆｉｂｕｓプロトコルに特有のアプリケーションソフトウェアで構成される、請求項１に記載のアダプタ。
【請求項６】
前記ポート回路と前記端子との間にスイッチ可能に接続される電源を更に備え、該電源は、前記フィールド装置に他の外部電力が与えられないときに前記フィールド装置に電力を与えるように前記ポート回路と端子との間に接続される、請求項１に記載のアダプタ。
【請求項７】
前記電源は、前記ＵＳＢ接続を経て前記コンピュータから前記フィールド装置へ与えられる電力を受け取る、請求項６に記載のアダプタ。
【請求項８】
前記ポート回路と前記端子との間にスイッチ可能に接続される抵抗器を更に備え、この抵抗器は、前記フィールド装置に使用された通信プロトコルに基づいて通信を許すに必要な抵抗を与えるために必要に応じて接続される、請求項１に記載のアダプタ。
【請求項９】
アダプタを使用してコンピュータとフィールド装置との間で両方向通信を行う方法において、
ＵＳＢ接続を使用して前記アダプタを前記コンピュータに接続するステップと、
一対の端子を使用して前記アダプタを前記フィールド装置に接続するステップと、
前記フィールド装置に使用された通信プロトコルを検出するステップと、
前記アダプタ内に配置されたメモリから前記コンピュータへアプリケーションソフトウェアを転送するステップであって、前記コンピュータへアップロードされるアプリケーションソフトウェアは、前記フィールド装置に使用された前記検出された通信プロトコルに関連したもので、前記フィールド装置に使用された通信プロトコルに基づいて前記コンピュータがデータを送信及び受信できるようにするものであり、前記フィールド装置に使用された前記検出された通信プロトコルに基づいて前記アダプタ内に配置されたメモリから前記コンピュータへアプリケーションソフトウェアを自動的に転送する段階を含むステップと、
前記フィールド装置に使用された通信プロトコルに基づいて前記フィールド装置と前記コンピュータとの間で両方向にデータを通信するステップと、
を備えた方法。
【請求項１０】
前記フィールド装置と前記コンピュータとの間で両方向にデータを通信する前記ステップは、
前記コンピュータから前記ＵＳＢ接続を経て命令を受け取る段階であって、前記フィールド装置の通信プロトコルに基づいてその命令がフォーマットされるような段階と、
前記コンピュータから受け取った命令を、前記一対の端子を経て前記フィールド装置へ送信する段階であって、前記フィールド装置の通信プロトコルを使用して前記命令が送信されるような段階と、
前記フィールド装置から前記一対の端子を経てデータを受け取る段階であって、前記フィールド装置の通信プロトコルを使用して前記フィールド装置からデータが受け取られるような段階と、
前記フィールド装置から受け取ったデータを、前記ＵＳＢ接続を経て前記コンピュータへ送信する段階と、
を含む請求項９に記載の方法。
【請求項１１】
前記アダプタを前記コンピュータに接続する前記ＵＳＢ接続は、ユニバーサルシリアルバス（ＵＳＢ）通信規格を使用する、請求項１０に記載の方法。
【請求項１２】
前記フィールド装置が外部電源から所要電力を受け取るかどうかに基づいて前記アダプタ内に配置された電源を前記フィールド装置に選択的に接続するステップを更に備えた、請求項９に記載の方法。
【請求項１３】
前記電源は、前記コンピュータから前記ＵＳＢ接続を経て前記フィールド装置に与えられる電力を受け取る、請求項１２に記載の方法。
【請求項１４】
前記フィールド装置と前記アダプタとの間に所要量のインピーダンスが存在するかどうかに基づいて、前記アダプタ内に配置された抵抗器を前記フィールド装置に選択的に接続するステップを更に備えた、請求項９に記載の方法。
【請求項１５】
コンピュータとフィールド装置の間の通信にインターフェイスするアダプタにおいて、  前記アダプタを前記コンピュータに接続する手段と、
前記アダプタを前記フィールド装置に接続する手段と、
複数のフィールド装置通信プロトコルに関連したアプリケーションソフトウェアを記憶するメモリ手段であって、前記フィールド装置に使用された通信プロトコルに関連したアプリケーションソフトウェアが、前記アダプタを前記コンピュータに接続する前記手段を使用して、前記コンピュータにロードされるようにしたメモリ手段と、
前記フィールド装置に使用された通信プロトコルに基づいて前記フィールド装置と前記コンピュータとの間でデータを両方向に通信する手段と、
前記フィールド装置に使用されている通信プロトコルを検出する手段と、
前記フィールド装置に使用された前記検出された通信プロトコルに基づいて前記メモリからアプリケーションソフトウェアを自動的に転送する手段と、
を備えたアダプタ。
【請求項１６】
他の外部電力が前記フィールド装置に与えられないときに前記フィールド装置に電力を与えるようスイッチ可能に接続される電源を更に備えた、請求項１５に記載のアダプタ。
【請求項１７】
前記電源は、前記アダプタを前記コンピュータに接続する前記手段を経て、前記コンピュータから前記フィールド装置に与えられる電力を受け取る、請求項１６に記載のアダプタ。
【請求項１８】
前記フィールド装置にスイッチ可能に接続される抵抗器を更に備え、該抵抗器は、前記フィールド装置に使用された通信プロトコルに基づいて通信を許すに必要な抵抗を与えるために必要に応じて接続される、請求項１５に記載のアダプタ。
【発明の詳細な説明】
【技術分野】
【０００１】
本発明は、一般的に、プロセス制御及び測定の分野に係る。より詳細には、本発明は、プロセス制御及び測定システムに使用するスマートフィールド装置と通信するための装置及び方法に係る。
【背景技術】
【０００２】
フィールド装置は、プロセス制御及び測定の分野に使用される良く知られたツールである。フィールド装置は、圧力、流量又は温度のような特定のプロセス変数に関するデータをユーザ又は制御システムに与える。これらの装置は、通常、石油、医薬品及び化学処理の分野に使用される。
【０００３】
プロセス制御及び測定システムに「スマート」フィールド装置を使用することにより、フィールド装置とコミュニケータ装置（例えば、ハンドヘルド装置又はコンピュータ）との間で両方向通信を行うことができる。両方向通信は、複数の通信プロトコルの１つを使用して行われる。しかしながら、スマートフィールド装置には多数の異なるプロトコルが存在し、プロトコルごとに、コミュニケータ装置を異なる仕方で構成することが要求される。例えば、ハイウェイアドレス可能リモートトランスジューサ（ＨＡＲＴ(登録商標)）プロトコルは、標準的な４−２０ミリアンペア（ｍＡ）のアナログ信号にデジタル信号を重畳することができる。ＨＡＲＴ(登録商標)プロトコルは、周波数シフトキーイング（ＦＳＫ）の原理を使用し、この場合、デジタル信号は、１２００Ｈｚ（デジタル論理レベル“１”を表す）又は２２００Ｈｚ（デジタル論理レベル“０”を表す）において４−２０ｍＡの信号に±０．５ｍＡを変調することによって表わされる。重畳されたデジタル信号は、スマートフィールド装置がデジタル信号の送信及び受信の両方を行えるようにし、通常、要求があったときに、診断及び複数変数情報を制御室又はハンドヘルド装置へ送信するために使用される。他の普及した両方向デジタル通信プロトコルは、ＦｉｅｌｄｂｕｓTMプロトコル及びＰｒｏｆｉｂｕｓプロトコルを含む。
【０００４】
各通信プロトコルは、動作が異なるので、フィールド装置に使用される通信プロトコルに基づいてコミュニケータ装置を構成しなければならない。ユーザが各既知の通信プロトコルに対して別々のハードウェアを持ち歩かねばならない事態を防ぐために、ＨＡＲＴ(登録商標)及びＦｉｅｌｄｂｕｓTMの両装置との通信をサポートするハンドヘルド３７５フィールドコミュニケータのようなツールがエマーソン・プロセス・マネージメントから開発された。この３７５フィールドコミュニケータは、いかなるプロセス環境にも使用するための本来的に安全な装置である。しかしながら、３７５フィールドコミュニケータの健全さが全ての用途で要求されるわけではない。例えば、フィールド装置のベンチトップコミッショニング（即ち、フィールド(現場)に設置する前の）は、通常、本来的に安全なコミュニケータ装置を必要としない。この状況において、顧客は、ラップトップ又は他のコンピュータ装置をコミュニケータとして働くようにしばしば変換する。経済的に魅力的であるが、フィールド装置と通信するこの方法は、顧客が、通信モデム又はインターフェイス、電源及び測定抵抗器を含む多数の異なる要素を入手して正しく接続することを要求する。更に、顧客は、アプリケーションソフトウェアを入手してスマートフィールド装置の通信プロトコルに特有のポータブル装置にインストールしなければならない。
【発明の概要】
【発明が解決しようとする課題】
【０００５】
それ故、両方向通信のためにコンピュータ又は他のポータブル装置をスマートフィールド装置に接続するプロセスを簡単にするシステムを提供するのが有益であろう。
【課題を解決するための手段】
【０００６】
本発明は、フィールド装置とコンピュータとの間を接続するよう構成されたアダプタであって、フィールド装置とコンピュータとの間の両方向デジタル通信にインターフェイスするアダプタを提供する。このアダプタは、複数の通信プロトコルと通信することが要求されるソフトウェアアプリケーションを記憶するためのメモリを備えている。フィールド装置に使用される通信プロトコルに基づいて、コンピュータにロードするためにメモリに記憶された適当なソフトウェアアプリケーションをアダプタが自動的に選択するか、又はユーザがコンピュータから選択する。アダプタは、更に、多数の実施形態及び構成においてフィールド装置と通信するのに必要なハードウェアコンポーネントを含む。
【図面の簡単な説明】
【０００７】
【図１】従来技術で知られたようにフィールド装置と通信するためのシステムを示すブロック図である。
【図２】両方向通信を与えるためにスマートフィールド装置とコンピュータとの間をインターフェイスするアダプタを示すブロック図である。
【発明を実施するための形態】
【０００８】
本発明は、コンピュータ（例えば、ラップトップ、パーソナルデジタルアシスタント、又はパーソナルコンピュータ）と、スマートフィールド装置（「フィールド装置」）との間の通信を容易にするアダプタに関する。本発明のアダプタは、コンピュータがスマートフィールド装置と通信するのを許す簡単な一体的な解決策を提供する。
【０００９】
図１は、従来技術で知られたように、フィールド装置１２と通信するのに使用するための典型的な通信システム１０を示すブロック図である。このシステム１０は、コンピュータ装置（例えば、ラップトップ）１４と、ユニバーサルシリアルバス（ＵＳＢ）インターフェイス装置１６と、電源１８と、負荷又は測定抵抗器２０と、ソフトウェア２２とを備えている。フィールド装置１２は、ＨＡＲＴ(登録商標)通信プロトコルを使用するが、ＦｉｅｌｄｂｕｓTM通信プロトコル又はＰｒｏｆｉｂｕｓ通信プロトコルを使用するフィールド装置にも同じ概念を適用することができる。
【００１０】
ワイヤ２４ａ及び２４ｂ(「電流ループ」として知られているものを形成する)は、フィールド装置１２を電源１８に接続し、電源１８が直流（ＤＣ）電流を電流ループに与えるようにする。ＨＡＲＴ(登録商標)通信では、フィールド装置１２は、第１周波数（“１”を表す）又は第２周波数（“０”を表す）において電源１８により与えられるＤＣ電流に±０．５ｍＡ電流を重畳することによりデジタル信号を発生する。このデジタル信号は、ＵＳＢインターフェイス１６により受け取られ、これは、電流ループに生じる小さな信号又は交流（ＡＣ）電圧を測定する。この小さな信号電圧は、フィールド装置１２にまたがって（第１位置においてリード２６ａ及び２６ｂで）測定されるか、又は測定抵抗器２０にまたがって（第２位置においてリード２６ａ及び２６ｂで）測定される。ＵＳＢインターフェイス１６は、測定されたデジタル信号を構成して、コンピュータ１４に与える。ＨＡＲＴ(登録商標)通信プロトコルに特有の、コンピュータ１４にインストールされたアプリケーションソフトウェアは、コンピュータ１４が、フィールド装置１２から受け取られたデータを解釈できるようにする。更に、ユーザは、ＵＳＢポート及びＵＳＢインターフェイス１６を経てフィールド装置１２にインストラクションを与え、このＵＳＢインターフェイスは、そのインストラクションを、フィールド装置１２に配送するためにＨＡＲＴ(登録商標)通信プロトコルに変換する。
【００１１】
図１に示す従来システムの欠点は、フィールド装置１２と通信するためにユーザが入手して正しく接続しなければならない個々のコンポーネントの数であり、コンピュータ１４、ＵＳＢインターフェイス装置１６、電源１８、測定抵抗器２０、及びソフトウェア２２を含む。コンポーネントの設置又は接続が不適切であると、ユーザがフィールド装置１２と通信することが妨げられる。
【００１２】
図２は、本発明のＵＳＢアダプタ３０のブロック図であり、これは、従来技術の複雑さを減少し、使用する通信プロトコルに関わりなくフィールド装置との簡単なインターフェイスをなす。アダプタ３０は、フィールド装置１２の端子に接続するためのリード３２ａ及び３２ｂと、自動検出回路３３と、測定又は負荷抵抗器３６と、電流ループ電源３８と、ＵＳＢポート回路４０と、メモリ４２と、スイッチ４４及び４６と、ＵＳＢケーブル４８とを備えている。ＵＳＢアダプタ３０は、ＵＳＢケーブル４８を経てコンピュータ１４へ接続されると共に、リード３２ａ及び３２ｂを使用してフィールド装置へ接続される。
【００１３】
ＵＳＢアダプタ３０は、フィールド装置１２のベンチトップテスト及びコミッショニングに使用することができ、或いはプロセス制御及び測定環境（即ち「フィールド(現場)」に設置されたときにフィールド装置１２とのテスト及び通信に使用することができる。ＵＳＢアダプタ３０は、フィールド装置１２に使用される通信プロトコルに関わりなく、コンピュータ１４をコミュニケータとして動作するのに必要なアプリケーションソフトウェアを記憶することにより種々の通信プロトコルとの互換性を与える。この実施形態では、メモリ４２は、複数の通信プロトコルの各々に関連したアプリケーションソフトウェアを記憶する。
【００１４】
ＵＳＢアダプタ３０をフィールド装置１２に接続することで、自動検出回路３４は、フィールド装置１２に使用されている通信プロトコルを決定することができる。各通信プロトコルは、識別を行えるようにする特徴を含む。例えば、ＦｉｅｌｄｂｕｓTMは、方形波信号を使用して通信し、一方、ＨＡＲＴ(登録商標)プロトコルは、正弦波を使用して通信する。自動検出回路３４は、検出された通信プロトコルをＵＳＢポート回路４０に通信する。検出された通信プロトコルに基づいて、ＵＳＢポート回路４０は、適当なアプリケーションソフトウェアをメモリ４２からコンピュータ１４へアップロードする。例えば、フィールド装置１２がＨＡＲＴ(登録商標)通信プロトコルを使用していることを自動検出回路３４が検出すると、ＵＳＢポート回路４０は、コンピュータ１４がＨＡＲＴ(登録商標)通信プロトコルに基づいて通信を行えるようにするに必要なアプリケーションソフトウェアをコンピュータ１４にアップロードする。一実施形態では、適当なアプリケーションソフトウェアをコンピュータ１４へアップロードすることは、自動的に行われる。別の実施形態では、ＵＳＢポート回路４０は、検出された通信プロトコルをコンピュータ１４へ通信する。次いで、ユーザは、コンピュータ１４へアップロードされるべき適当なソフトウェアをメモリ４２から選択する。多数の通信プロトコルに関連したアプリケーションソフトウェアをＵＳＢアダプタ３０（特に、メモリ４２）に記憶することで、ユーザが、特定のフィールド装置の通信プロトコルに基づいてＣＤ又は他の記憶媒体からソフトウェアを入手してインストールする必要性を排除する。
【００１５】
適当なアプリケーションソフトウェアをコンピュータ１４にインストールすることで、コンピュータ１４は、フィールド装置１２と通信することができる。コンピュータ１４は、ＵＳＢ通信規格を使用してＵＳＢアダプタ３０と通信するが、ＵＳＢアダプタ３０に与えられるインストラクションは、フィールド装置１２に使用される通信プロトコルに基づいたものである。即ち、フィールド装置１２がＨＡＲＴ(登録商標)通信プロトコルを使用する場合に、コンピュータ１４によりＵＳＢアダプタ３０に与えられるインストラクション又はデータは、ＵＳＢ規格を使用して通信されるが、フィールド装置１２に使用されるＨＡＲＴ(登録商標)通信プロトコルに特有のものとなる。フィールド装置１２がＦｉｅｌｄｂｕｓTM通信プロトコルを使用する場合には、コンピュータ１４によりＵＳＢアダプタ３０に与えられるインストラクション又はデータは、ＵＳＢ規格を使用して通信されるが、フィールド装置１２に使用されるＦｉｅｌｄｂｕｓTM(登録商標)通信プロトコルに特有のものとなる。
【００１６】
ベンチトップコミッショニング（即ち、フィールド装置１２が測定システムに接続されない）の間に、リード３２ａ及び３２ｂは、フィールド装置１２の端子に接続される。典型的に、ベンチトップコミッショニングの間は、外部電力がフィールド装置１２に供給されない。図１に示すように、従来のシステムでは、ユーザが適当な電源を入手してフィールド装置１２に適切に接続することが要求された。本発明のＵＳＢアダプタ３０は、内蔵電源３８を備えている。ベンチトップコミッショニング（又は外部電力がフィールド装置１２に与えられない状況）の場合に、スイッチ４６は、リード３２ａ及び３２ｂを通してフィールド装置１２に電源３８を接続する位置にされる。電源３８は、コンピュータ１４からＵＳＢ接続４８を経てフィールド装置１２に送られる電力を導出し、これにより、ユーザが、図１に示す従来システムに要求された独立した電源を準備する必要を排除する。電源３８により送られるＤＣ電力は、フィールド装置１２がデジタル通信を送信及び受信できるに充分なものである。例えば、フィールド装置１２がＨＡＲＴ(登録商標)プロトコルを使用する場合に、フィールド装置１２は、電源３８により送られるＤＣ電流を変調し、第１周波数又は第２周波数のいずれかでＡＣ電流信号を重畳し、デジタル通信を行う。フィールド装置１２が電源に予め接続されたフィールドテスト中には、スイッチ４６は、反対の位置に入れられ、フィールド装置１２に不要な電力を供給しないように電源３８を取り除く。
【００１７】
同様に、測定抵抗器３６は、スイッチ４４の位置によりリード３２ａ及び３２ｂで形成される電流ループに選択的に接続することができる。全ての通信プロトコルは、電流ループが最小の抵抗値をもつことを要求する。上述したように、ベンチトップコミッショニングの間には、フィールド装置１２は、必要量の抵抗をもつ測定システムに接続されない。この状況（及び他の同様のシナリオ）において、スイッチ４４を上の位置に入れることにより、測定抵抗器３６が電流ループに含まれる。電流ループが必要な抵抗を含むプロセス及び測定システムにフィールド装置１２が接続された場合には、測定抵抗器３６が要求されず、スイッチ４４を下の位置に入れることで除外することができる。
【００１８】
ＵＳＢアダプタ３０を適切に接続した後に、コンピュータ１４にソフトウェアをロードして実行すると、ＵＳＢアダプタは、コンピュータ１４とフィールド装置１２との間の両方向通信にインターフェイスする。（インストールされたアプリケーションソフトウェアを使用して）コンピュータ１４により与えられるインストラクションは、ＵＳＢアダプタ３０のＵＳＢポート回路４０に与えられる。コンピュータ１４により与えられるインストラクション又はデータは、フィールド装置１２に使用される通信プロトコルに基づいてエンコードされる。フィールド装置１２がＨＡＲＴプロトコルを使用する場合には、コンピュータ１４によりＵＳＢポート回路に与えられるインストラクションは、ＨＡＲＴプロトコルに基づくものとなる。同様に、フィールド装置１２がＦｉｅｌｄｂｕｓTMプロトコル又はＰｒｏｆｉｂｕｓプロトコルを使用する場合には、コンピュータ１４によりＵＳＢポート回路４０に与えられるインストラクションは、各々、ＦｉｅｌｄｂｕｓTM又はＰｒｏｆｉｂｕｓプロトコルに基づいたものとなる。次いで、ＵＳＢポート回路４０は、受け取ったインストラクションを、適当な通信プロトコルを使用してフィールド装置１２へ通信する（例えば、ＨＡＲＴ通信の場合、ＵＳＢポート回路４０は、１２００Ｈｚ又は２２００Ｈｚのいずれかにおいて電流ループの電流を±０．５ｍＡで変調し、受け取ったインストラクションをフィールド装置１２へ通信する）。フィールド装置１２が異なる通信プロトコルを使用する場合に、ＵＳＢポート回路４０は、受け取ったインストラクションを、適当なプロトコル（例えば、ファウンデーションフィールドバス(Foundation Fieldbus)又はＰｒｏｆｉｂｕｓ）を使用して通信する。同様に、フィールド装置１２により電流ループに与えられるデジタル情報は、ＵＳＢポート回路４０により読み取られて、ＵＳＢケーブル４８を経てポータブル装置１４に与えられる。この情報は、ユーザの利益のためにアプリケーションソフトウェアによりユーザインターフェイス（即ち、ディスプレイ又はスクリーン）に表示される。
【００１９】
以上、本発明は、好ましい実施形態を参照して説明したが、当業者であれば、本発明の精神及び範囲から逸脱せずに、その形態及び細部を変更できることが明らかであろう。特に、本発明は、アダプタとコンピュータとの間の通信にユニバーサルシリアルバス規格を使用するＵＳＢアダプタに関して説明したが、ファイアワイヤ(Firewire)、等の他の形式の通信も使用できる。異なる通信規格が使用される場合には、ポート回路及びケーブルが適宜に変更されることになる。ＵＳＢ又はファイアワイヤ（又は他のもの）への接続は、一般的には、ケーブルを経て行われるが、コンピュータがアダプタと通信できるものであれば、いかなる形式のメイティング端子も受け入れられる。同様に、ＵＳＢアダプタ３０内に使用されるメモリの形式は、いかなる形式の不揮発性メモリ（例えば、フラッシュメモリ）で実施されてもよい。
【００２０】
コンピュータ１４は、アプリケーションソフトウェアを実行できると共に、ラップトップ、パーソナルデジタルアシスタント（ＰＤＡ）又はパーソナルコンピュータ（ＰＣ）のようなユーザのためのユーザインターフェイスをなす装置の一般的表現である。
【符号の説明】
【００２１】
１０：通信システム
１２：フィールド装置
１４：コンピュータ装置
１６：ユニバーサルシリアルバス（ＵＳＢ）インターフェイス装置
１８：電源
２０：抵抗器
２２：ソフトウェア
２４ａ、２４ｂ：ワイヤ
２６ａ、２６ｂ：リード
３０：ＵＳＢアダプタ
３２ａ、３２ｂ：リード
３３：自動検出回路
３６：抵抗器
３８：電源
４０：ＵＳＢポート回路
４２：メモリ
４４、４６：スイッチ
４８：ＵＳＢケーブル
【図１】
0005480625.tif 000002
【図２】
0005480625.tif 000003